(57)【要約】【課題】コストを抑えつつ、より一層開放感を向上させることができる擬似窓を提供することを目的としている。【解決手段】風景映像を表示する映像表示装置４を室内空間の壁部に設けて窓のように見せる擬似窓１において、映像表示装置４に並べて設置され、室内空間側に向けて面発光する光窓式照明装置６、６と、映像表示装置４の風景映像の輝度を検知する輝度検知手段７と、輝度検知手段７により検知された輝度値に応じて光窓式照明装置６、６を制御し、風景映像に調和するように光窓式照明装置６、６の発光面６ａ、６ａの輝度を調整する輝度調整手段８と、が備えられている。【選択図】図２
2008223347.tif 000002
【特許請求の範囲】
【請求項１】
風景映像を表示する映像表示装置を室内空間の壁部に設けて窓のように見せる擬似窓において、
前記映像表示装置に並べて設置され、室内空間側に向けて面発光する光窓式照明装置と、
前記映像表示装置の風景映像の輝度を検知する輝度検知手段と、
該輝度検知手段により検知された輝度値に応じて前記光窓式照明装置を制御し、前記風景映像に調和するように前記光窓式照明装置の発光面の輝度を調整する輝度調整手段と、
が備えられていることを特徴とする擬似窓。
【請求項２】
請求項１記載の擬似窓において、
前記光窓式照明装置の発光面は、窓上の庇の影を想像させる上側の暗領域と、窓面に照射される直達日射を想像させる下側の明領域と、に区分され、
時刻に応じて前記光窓式照明装置を制御し、前記時刻における窓面の庇影部分と直達日射部分との比率に合わせて前記暗領域と前記明領域との比率を調整する明暗比率調整手段が備えられていることを特徴とする擬似窓。
【請求項３】
請求項１または２のいずれか一項に記載の擬似窓において、
時刻に応じて前記光窓式照明装置を制御し、前記時刻における日差しの色温度に合わせて前記光窓式照明装置の光源の色温度を調整する色温度調整手段が備えられていることを特徴とする擬似窓。
【請求項４】
請求項１から３のいずれか一項に記載の擬似窓において、
前記輝度検知手段は、前記映像表示装置へ送られる映像信号に含まれる輝度情報から風景映像の輝度を検知する手段であることを特徴とする擬似窓。
【請求項５】
請求項１から３のいずれか一項に記載の擬似窓において、
前記輝度検知手段は、前記映像表示装置の表示部、または前記映像表示装置と同じ風景映像を表示する輝度検知用表示装置の表示部の少なくとも一方に設けられた輝度センサを用いて風景映像の輝度を検知する手段であることを特徴とする擬似窓。
【発明の詳細な説明】
【技術分野】
【０００１】
本発明は、窓が在るかのように見せることができる擬似窓に関する。
【背景技術】
【０００２】
地下空間に設けられたオフィスや原子力発電所の制御室などでは、窓を設けることができない。そこで、従来より、上記したような無窓空間の壁面に擬似窓を設ける技術が提案されている。擬似窓は、窓を擬似したものであり、壁面に取り付けられた窓枠の枠内に、風景映像を映し出す大型ディスプレイ（映像表示装置）や風景写真を嵌め込んだ構成からなるものである。この擬似窓によれば、大型ディスプレイ等に映し出された風景が、まるで窓から眺める風景のように見えるため、無窓空間における閉塞感や圧迫感を解消することができる（例えば、特許文献１参照。）。
【特許文献１】特開平９−２０５６０２号公報
【発明の開示】
【発明が解決しようとする課題】
【０００３】
しかしながら、上記した従来の擬似窓では、大型のディスプレイを用いたとしても、窓としては小さく、無窓空間における閉塞感を十分に解消することができない場合がある。そこで、より開放感を得るために、特大のディスプレイを用いたり複数のディスプレイを並べて設置したりすることで、大面積の擬似窓を形成することができるが、ディスプレイにかかるコストが高くなるため、実現が難しいという問題がある。
【０００４】
本発明は、上記した従来の問題が考慮されたものであり、コストを抑えつつ、より一層開放感を向上させることができる擬似窓を提供することを目的としている。
【課題を解決するための手段】
【０００５】
本発明に係る擬似窓は、風景映像を表示する映像表示装置を室内空間の壁部に設けて窓のように見せる擬似窓において、前記映像表示装置に並べて設置され、室内空間側に向けて面発光する光窓式照明装置と、前記映像表示装置の風景映像の輝度を検知する輝度検知手段と、該輝度検知手段により検知された輝度値に応じて前記光窓式照明装置を制御し、前記風景映像に調和するように前記光窓式照明装置の発光面の輝度を調整する輝度調整手段と、が備えられていることを特徴としている。
【０００６】
このような特徴により、並べて設置された映像表示装置と光窓式照明装置とによって連窓のような大面積の窓が存在しているような感覚が得られる。また、輝度検知手段によって映像表示装置の風景映像の輝度が検知される。晴れた昼間の風景等のような明るい映像が表示されている場合には、検知される輝度値が高くなる。反対に、夜景等のような暗い映像が表示されている場合には、検知される輝度値は低くなる。そして、輝度調整手段によって輝度値に応じて光窓式照明装置が制御されてその発光面の輝度が調整される。明るい映像が表示されていて輝度値が高い場合には、発光面の輝度が高くなるように照明が上げられる。反対に、暗い映像が表示されていて輝度値が低い場合には、発光面の輝度が低くなるように照明が落とされる。
【０００７】
また、本発明に係る擬似窓は、前記光窓式照明装置の発光面は、窓上の庇の影を想像させる上側の暗領域と、窓面に照射される直達日射を想像させる下側の明領域と、に区分され、時刻に応じて前記光窓式照明装置を制御し、前記時刻における窓面の庇影部分と直達日射部分との比率に合わせて前記暗領域と前記明領域との比率を調整する明暗比率調整手段が備えられていることが好ましい。
【０００８】
これにより、発光面の暗領域と明領域との比率が時刻に応じて調整される。太陽高度が低い朝方および夕方では、窓面の上端付近にだけ庇の影が投影され、窓面の大部分に直達日射が照射されるため、光窓式照明装置の発光面についても、太陽高度が低い時間帯は、暗領域の比率を小さくして大部分が明領域となるように、暗領域と明領域との比率が調整される。一方、太陽高度が高い正午では、窓面に投影される庇の影が窓面の下部の方まで延び、窓面の下端部分にだけ直達日射が照射されるため、光窓式照明装置の発光面についても、太陽高度が高い時間帯は、明領域の比率を小さくして大部分が暗領域となるように、暗領域と明領域との比率が調整される。
【０００９】
また、本発明に係る擬似窓は、時刻に応じて前記光窓式照明装置を制御し、前記時刻における日差しの色温度に合わせて前記光窓式照明装置の光源の色温度を調整する色温度調整手段が備えられていることが好ましい。
【００１０】
これにより、時刻に応じて光窓式照明装置の光源の色温度が調整される。太陽高度が低い朝方および夕方では、日差しの色温度が低いため、光窓式照明装置の光源の色温度も低くなるように調整され、黄赤色の光が発光面から照射される。一方、太陽高度が高い正午では、日差しの色温度が高いため、光窓式照明装置の光源の色温度も高くなるように調整され、青白色の光が発光面から照射される。
【００１１】
また、本発明に係る擬似窓は、前記輝度検知手段が、前記映像表示装置へ送られる映像信号に含まれる輝度情報から風景映像の輝度を検知する手段であることが好ましい。
【００１２】
これにより、映像信号に含まれる輝度情報を読み出して所定の演算処理を行うだけで風景映像の輝度が検知される。
【００１３】
また、本発明に係る擬似窓は、前記輝度検知手段が、前記映像表示装置の表示部、または前記映像表示装置と同じ風景映像を表示する輝度検知用表示装置の表示部の少なくとも一方に設けられた輝度センサを用いて風景映像の輝度を検知する手段であってもよい。
【００１４】
これにより、輝度センサで輝度を測定するだけで風景映像の輝度が検知される。
【発明の効果】
【００１５】
本発明に係る擬似窓によれば、映像表示装置と光窓式照明装置とを並べて設置した構成であるため、複数の映像表示装置を設置する場合や特大の映像表示装置を設置する場合と比較してコストを抑えることができる。また、並設された映像表示装置と光窓式照明装置とによって、連窓のような大面積の開口が存在しているような感覚が得られるので、より一層開放感を向上させることができ、室内空間の快適性を一層向上させることができる。また、映像表示装置に表示された風景映像の明るさに応じて光窓式照明装置の発光面の輝度が調整されるため、連窓としての自然さが演出され、違和感が解消される。このように、リアリティのある擬似窓になることで、擬似窓としての効果、つまり、閉塞感や圧迫感を解消させるという効果が大きなり、室内空間の快適性をさらに向上させることができる。
【発明を実施するための最良の形態】
【００１６】
以下、本発明に係る擬似窓の第１、第２、第３、第４の実施の形態について、図面に基いて説明する。
【００１７】
［第１の実施の形態］
まず、第１の実施の形態における擬似窓１について説明する。図１は擬似窓１を表す斜視図であり、図２は擬似窓１を表す模式図である。
【００１８】
図１、図２に示すように、擬似窓１は、外の風景が見える窓を擬似したものであり、その概略構成は、壁部２の開口部３内に嵌め込まれた状態で設置された大型のディスプレイ４と、同じく開口部３内に嵌め込まれた状態でディスプレイ４と並べて設置された光窓式照明装置６、６と、ディスプレイ４に映し出された風景映像の輝度を検知する輝度検知装置７と、光窓式照明装置６、６を制御する光窓照明制御装置８と、からなる。
【００１９】
ディスプレイ４は、プラズマディスプレイや液晶ディスプレイ等の公知の映像表示装置であり、図示せぬカメラで撮影されているリアルタイム映像や録画映像等の映像信号を受けて風景映像を表示する装置である。このディスプレイ４は、壁部２の室内側の壁面よりも奥に配置されており、ディスプレイ４の表示面（室内側の面）は、開口部３の内周面に囲まれた状態になっている。また、ディスプレイ４の外縁部には、ディスプレイ４を窓のように見せるための窓枠９が取り付けられており、窓枠９の中にディスプレイ４の画面４ａ（表示部）が嵌め込まれた状態となっている。
【００２０】
輝度検知装置７は、ディスプレイ４へ送る映像信号に含まれる輝度情報からディスプレイ４に映し出された風景映像の輝度を検知する装置である。この輝度検知装置７には、ディスプレイ４へ映像信号を送る映像ソース１０から映像信号が入力される。輝度検知装置７では、映像ソース１０から送られた映像信号の中の輝度情報を基にその時刻の画面全体の平均輝度値を算出する。算出された平均輝度値は、輝度検知装置７から出力されて照明制御装置８へ入力される。上記した平均輝度値は、晴れた昼間の風景等のような明るい映像がディスプレイ４に映し出されている場合には高くなる。反対に、夜景等のような暗い映像がディスプレイ４に映し出されている場合には低くなる。
【００２１】
上記した平均輝度値の求め方について具体的に説明する。
図３は時刻ｘに対する風景映像の輝度Ｉの変化を表したグラフである。図３に示すｆ（ｘ）は時刻ｘにおける輝度信号である。図３に示すように、映像信号において輝度情報は走査線分の情報を時系列で持っているため、ディスプレイ４の画面４ａを１回走査する時間以上の時間（ｂ−ａ）で平均し、画面４ａ全体の平均輝度値を求める。例えば、ディスプレイ４に表示される時刻ｂの平均輝度値をＩ（ｂ）とすると、平均輝度値Ｉ（ｂ）は次式で表される。
【００２２】
【数１】
2008223347.tif 000003
【００２３】
光窓照明制御装置８は、輝度検知装置７から送られた平均輝度値を基に輝度調節用の出力値を演算して出力する装置である。照明制御装置８により算出される出力値は、基本的に、平均輝度値が高いほど高くなり、平均輝度値が低いほど低くなる。照明制御装置８から出力された出力値は、光窓式照明装置６、６に入力される。
【００２４】
図４は光窓式照明装置６の概略構成を表す断面図である。図１、図２、図４に示すように、光窓式照明装置６は、室内空間側に向けて面発光する照明装置であり、その概略構成は、室内空間側に表面を向けて配置された半透明板６０と、半透明板６０の裏面に光を当てるバックライト６１と、から構成されている。半透明板６０としては、例えば乳白板を用いることができる。また、半透明板６０の裏側に配設するバックライト６１としては、例えば、複数の白熱灯をマトリックス状に配設させた構成からなるものや、複数の蛍光灯を配列させた構成からなるものや、光を広げる拡散板の裏に冷陰極管を配置した直下型のバックライトや、アクリル等からなる導光板の裏に反射板を配置するとともに導光板の表に拡散板を配置して更に導光板の端に冷陰極管を配置した構成からなるサイドエッジ型のバックライトなどがある。
【００２５】
また、光窓式照明装置６、６は、ディスプレイ４の両側にそれぞれ配設されており、光窓式照明装置６、６とディスプレイ４とは直列に並べられ、その発光面６ａ、６ａ（半透明板６０の表面）は、ディスプレイ４の画面４ａと略面一に設けられている。また、光窓式照明装置６、６の発光面６ａ、６ａの縦寸法Ｈ２は、ディスプレイ４の画面４ａの縦寸法Ｈ１と略等しくなっており、光窓式照明装置６、６とディスプレイ４とは互いに合わされて連窓のような見た目になっている。
【００２６】
また、光窓式照明装置６は、光源（白熱灯や蛍光灯、冷陰極管など）の明るさを調整することが可能な調光式照明装置であり、光窓照明制御装置８から送られた輝度調節用の出力値を受けて光源の明るさが調整される。仮に、光源が白熱灯の場合、出力値を基に光源のフィラメントに流す電流を変化させて光源の明るさを調整する。また、光源が蛍光灯の場合、出力値を基に電圧を変化させて光源の明るさを調整する。なお、光窓式照明装置６は、複数の段階に調光される段階調光式の照明装置であってもよく、或いは、連続的に調光される無段階調光式の照明装置であってもよい。
【００２７】
上記したように光源の明るさが調整されることで、ディスプレイ４に映し出された風景映像に調和するように光窓式照明装置６、６の発光面６ａ、６ａの輝度が調整される。例えば、ディスプレイ４に明るい映像が表示されている場合には、平均輝度値が高く、輝度調節用の出力値も高くなり、光窓式照明装置６、６の光源の明るさが上げられる。これにより、光窓式照明装置６、６の発光面６ａ、６ａの輝度が高くなる。一方、ディスプレイ４に暗い映像が表示されている場合には、平均輝度値が低く、輝度調節用の出力値も低くなり、光窓式照明装置６、６の光源の明るさが落とされる。これにより、光窓式照明装置６、６の発光面６ａ、６ａの輝度が低くなる。
【００２８】
上記した構成からなる擬似窓１によれば、ディスプレイ４の両側に光窓式照明装置６、６をそれぞれ設置した構成であるため、複数のディスプレイを設置する場合や、特大のディスプレイを設置する場合と比較してコストを抑えることができる。また、並設されたディスプレイ４と光窓式照明装置６、６とによって、横連窓のような大面積の開口が存在しているような感覚が得られるので、より一層開放感を向上させることができ、室内空間の快適性を一層向上させることができる。つまり、上記した構成からなる擬似窓１によれば、コストを抑えつつ開放感を向上させることができる。
【００２９】
また、ディスプレイ４に表示された風景映像の明るさに応じて光窓式照明装置６、６の発光面６ａ、６ａの輝度が調整されるため、窓としての自然さが演出され、違和感を解消することができる。このように、リアリティのある擬似窓１にすることで、閉塞感や圧迫感を解消するという効果が大きなり、擬似窓１が設置された室内空間の快適性を一層向上させることができる。
【００３０】
また、上記した構成からなる擬似窓１によれば、ディスプレイ４へ送られる映像信号に含まれる輝度情報から風景映像の輝度を検知する輝度検知装置７が備えられているため、ディスプレイ４に表示された風景映像の輝度を簡単に検知することができる。
【００３１】
［第２の実施の形態］
次に、第２の実施の形態に係る擬似窓１０１について説明する。図５は擬似窓１０１を表す模式図である。なお、上述した第１の実施の形態と同様の構成については同一の符号を付してその説明を省略する。
【００３２】
図５に示すように、擬似窓１０１に備えられた光窓照明制御装置１０８は、輝度検知装置７から送られた平均輝度値を基に輝度調整用の出力値を演算して出力し、且つ、時刻に応じた明暗比率調整用の出力値を出力する装置である。明暗比率調整用の出力値は、後述する発光面１０６ａの暗領域Ａと明領域Ｂとの比率を調整するための出力値であり、時刻に応じて可変され、その時刻における庇影部分と直達日射部分との比率に合わせて調整される。
【００３３】
光窓式照明装置１０６は、光源の明るさを調整することが可能な調光式の照明装置である。光窓式照明装置１０６の光源の明るさは、第１の実施の形態の光窓式照明装置６と同様に、照光明制御装置１０８から送られた輝度調節用の出力値を受けて調整される。
【００３４】
また、光窓式照明装置１０６は、その発光面１０６ａが、窓上の庇の影を想像させる暗領域Ａと、窓面に照射される直達日射を想像させる明領域Ｂと、に区分されている照明装置である。暗領域Ａは、発光面１０６ａのうちの上側の部分を占める領域である。暗領域Ａは、明領域Ｂと比較して暗い領域であって、図６に示すバックライト１６１からの光が当たらず、室内空間側に向けて発光していない。一方、明領域Ｂは、光面１０６ａのうちの下側の部分を占める領域であって、暗領域Ａの下方に形成されている。明領域Ｂは、図６に示すバックライト１６１からの光が当てられて、室内空間側に向けて発光している。
【００３５】
また、光窓式照明装置１０６は、上記した暗領域Ａと明領域Ｂとの比率を調整することが可能な照明装置であり、暗領域Ａの縦寸法Ｈ３や明領域Ｂの縦寸法Ｈ４は適宜可変される。
【００３６】
図６（ａ）は、暗領域Ａと明領域Ｂとの比率調整可能な光窓式照明装置１０６の概略構成を表した断面図である。  図６（ａ）に示すように、光窓式照明装置１０６のバックライト１６１は、水平方向に延在する複数の光源１６１ａ…が鉛直方向に並列に配列され、隣り合う光源１６１ａ、１６１ａの間に遮光板１６１ｂがそれぞれ配設された構成からなる。このバックライト１６１を備える光窓式照明装置１０６によれば、上段側の光源１６１ａ…をＯＦＦにして光を消すことで、その光源１６１ａ…に対向する発光面１０６ａの上部が発光しなくなって暗領域Ａが形成されるとともに、下段側の光源１６１ａ…をＯＮにして光を点けることで、その光源１６１ａ…に対向する発光面１０６ａの下部が発光して明領域Ｂが形成される。そして、複数の光源１６１ａ…は、それぞれ別々にＯＮ−ＯＦＦ切り替え可能となっており、複数の光源１６１ａ…を適宜ＯＮ−ＯＦＦ切り替えすることで暗領域Ａと明領域Ｂとの比率が調整される。すなわち、ＯＦＦにする光源１６１ａ…の数を増やすことで暗領域Ａを大きくすることができ、反対に、ＯＦＦにする光源１６１ａ…の数を減らすことで明領域Ｂを大きくすることができる。
【００３７】
なお、上述した図６（ａ）に示すバックライト１６１に限定されず、例えば、図６（ｂ）に示すバックライト１６１’であってもよい。すなわち、光窓式照明装置１０６に備えられるバックライト１６１’は、水平方向に延在する光源１６１ａ’が光窓式照明装置１０６の下部に設けられ、この光源１６１ａ’の上方に遮光板１６１ｂ’が水平軸周りに回転可能に設けられた構成のものであってもよい。このバックライト１６１’を備える光窓式照明装置１０６によれば、光源１６１ａ’の光が半透明板６０の下部に当たることで発光面１０６ａの下部に明領域Ｂが形成されるとともに、遮光板１６１ｂ’により半透明板６０の上部に当たる光源１６１ａ’の光を遮光することで発光面１０６ａの上部に暗領域Ａが形成される。そして、遮光板１６１ｂ’を回転させることで暗領域Ａと明領域Ｂとの比率が調整される。すなわち、遮光板１６１ｂ’を倒していくことで、暗領域Ａを大きくして明領域Ｂを小さくすることができ、反対に、遮光板１６１ｂ’を起こしていくことで暗領域Ａを小さくして明領域Ｂを大きくすることができる。
【００３８】
また、上述した暗領域Ａと明領域Ｂとの比率調整を具体的に説明すると、まず、時刻から太陽高度を算出する。次に、算出された太陽高度、仮想の庇の長さと取り付け高さ、及び擬似窓１０１の方位により、窓面のどの部分に庇の影が投影され、どの部分に直達日射が当たるかを算出する。そして、算出された結果に基づいて、暗領域Ａの縦寸法Ｈ３や明領域Ｂの縦寸法Ｈ４が決定され、暗領域Ａと明領域Ｂとの比率が調整される。
【００３９】
図７は窓面における直達日射が当たる部分の時系列変化を表したグラフであり、時刻に対する直達日射が当たる部分の高さを示している。図７に示すように、窓面における直達日射が当たる部分の高さは、太陽高度が低い朝方（日の出）および夕方（日の入り）の時間帯が高くなり、太陽高度が高い昼間の時間帯が低くなる。したがって、これに合わせて、太陽高度が低い朝方及び夕方の時間帯は、図８（ａ）に示すように、暗領域Ａの縦寸法Ｈ３を小さくして明領域Ｂの縦寸法Ｈ４を大きくし、太陽高度が高い昼間の時間帯は、図８（ｂ）に示すように、暗領域Ａの縦寸法Ｈ３’を大きくして明領域Ｂの縦寸法Ｈ４’を小さくする。
【００４０】
上記した構成からなる擬似窓１０１によれば、光窓式照明装置１０６の発光面１０６ａに、窓上の庇の影を想像させる暗領域Ａが形成され、しかも、この暗領域Ａが、庇の影のように時刻に応じて延びたり縮んだりするため、窓としての自然さが演出され、リアリティのある擬似窓１０１にすることができ、その結果、擬似窓１０１としての効果が高まり、室内空間の快適性がさらに高まる。
【００４１】
なお、上記した第２の実施の形態では、発光面１０６ａの上部に光源１６１ａからの光を当てないようにすることで暗領域Ａを形成しているが、本発明は、発光面１０６ａの上部に他の部分よりも暗い光を当てることで暗領域Ａを形成することもできる。すなわち、暗領域Ａが明領域Ｂよりも低い輝度で発光する構成であってもよい。
【００４２】
また、太陽高度は一年周期で変動するため、同じ時刻であっても日付によって太陽高度が異なる場合がある。また、太陽高度は対象地の場所によっても変動するため、同じ時刻であっても対象地の緯度と経度によって太陽高度が異なる場合がある。したがって、時刻だけでなく、対象地の緯度経度及び日付の両方または何れか一方に応じて光窓式照明装置１０６を制御し、対象地の緯度経度、日付及び時刻における庇影部分と直達日射部分との比率に合わせて暗領域Ａと明領域Ｂとの比率を調整してもよい。例えば、対象地の緯度経度、日付および時刻から太陽高度を算出してもよい。これにより、暗領域Ａと明領域Ｂとの比率を、実際の庇影部分と直達日射部分との比率にさらに近似させることができ、より一層リアリティのある擬似窓１０１を実現することができる。
【００４３】
［第３の実施の形態］
次に、第３の実施の形態に係る擬似窓２０１について説明する。図９は擬似窓２０１を表す模式図である。なお、上述した第１の実施の形態と同様の構成については同一の符号を付してその説明を省略する。
【００４４】
図９に示すように、擬似窓２０１に備えられた輝度検知装置２０７は、ディスプレイ４の画面４ａ（表示部）に設けられた輝度センサ２１７を用いて、ディスプレイ４に映し出された風景映像の輝度を検知する装置である。輝度センサ２１７としては、公知の輝度センサを用いることができる。この輝度センサ２１７により輝度センサ２１７の設置位置での輝度を測定し、ディスプレイ４の画面４ａ上の代表的な輝度値を得る。輝度センサ２１７によって得られた輝度値は照明制御装置８に入力される。
【００４５】
なお、上記した輝度センサ２１７は、ディスプレイ４の画面４ａの任意の位置に設置することが可能であるが、目立たないように画面４ａの端部に配置することが好ましい。
また、輝度センサ２１７は、画面４ａの範囲内のうち、風景の明るさを表す位置に配置することが好ましい。風景の明るさを表す位置とは、例えば空等を表示した位置である。
風景映像の場合、画面４ａの上部の範囲が風景の明るさを表す部分となる場合が多いため、画面４ａの上部の範囲に輝度センサ２１７が配置されることが好ましい。反対に、画面４ａの下部の範囲は、地面や草木等が表示され、風景の明るさよりも暗くなっている場合が多い。このため、仮に、輝度センサ２１７が画面４ａの下部の範囲に配置されていると、実際に映し出されている映像が晴れの風景であっても輝度センサ２１７により検知した輝度値が低くなる場合があり、この場合、光窓式照明装置６の発光面６ａの輝度が暗くなり、風景映像の明るさに対して違和感が生じる。
【００４６】
上記した構成からなる擬似窓２０１によれば、ディスプレイ４の画面４ａに設けられた輝度センサ２１７を用いて、ディスプレイ４の画面４ａに映し出された風景映像の輝度を検知する輝度検知装置２０７が備えられているため、輝度センサ２１７で測定するだけで簡単に風景映像の輝度を検知することができる。また、輝度センサ２１７を任意の位置に設置することができるので、測定に最適な位置で輝度の検知を行うことができ、風景の明るさを正確に検知することができる。
【００４７】
なお、上記した第３の実施の形態では、輝度センサ２１７がディスプレイ４の画面４ａ上に１つだけ設置されているが、本発明は、ディスプレイ４の画面４ａ上に複数の輝度センサ２１７を設置してもよい。複数の輝度センサ２１７を設置した場合、複数の輝度センサ２１７によってそれぞれ測定された複数の輝度値の平均値を算出して出力してもよく、或いは、複数の輝度センサ２１７によってそれぞれ測定された複数の輝度値のうちの１つを出力してもよく、或いは、それ以外の演算等を行って輝度値を出力してもよい。
【００４８】
また、上記した第３の実施の形態では、輝度センサ２１７がディスプレイ４の画面４ａ上に設けられているが、本発明は、図１０に示すように、擬似用のディスプレイ４とは別の輝度検知用のディスプレイ２０４が備えられ、この輝度検知用のディスプレイ２０４の画面２０４ａ上に輝度センサ２１７を設けてもよい。具体的に説明すると、擬似用のディスプレイ４に映像信号を送る映像ソース１０と輝度検知用のディスプレイ２０４とを接続して、映像ソース１０から輝度検知用のディスプレイ２０４へ擬似用のディスプレイ４と同じ映像信号を送信する。これにより、輝度検知用のディスプレイ２０４の画面２０４ａには、擬似用のディスプレイ４と同一の風景映像が表示される。そして、輝度検知用のディスプレイ２０４の画面２０４ａ上に設けられた輝度センサ２１７によって任意の位置で輝度を測定し、測定された輝度値を照明制御装置８に送る。このように、輝度検知用のディスプレイ２０４の画面２０４ａ上に輝度センサ２１７を設けることで、擬似用のディスプレイ４の画面４ａ上に輝度センサ２１７が設置しないで済む。また、輝度検知用のディスプレイ２０４であれば画面２０４ａの真中の位置に輝度センサ２１７を配置させても問題がないため、輝度センサ２１７の設置位置の選択の幅を広げることができる。なお、擬似用のディスプレイ４の画面４ａ上および輝度検知用のディスプレイ２０４の画面２０４ａ上にそれぞれ輝度センサ２１７を設けてもよい。
【００４９】
また、本発明は、上記した第３の実施の形態における光窓式照明装置６及び光窓照明制御装置８に代えて、第２の実施の形態の光窓式照明装置１０６及び光窓照明制御装置１０８を用いてもよい。すなわち、輝度センサ２１７を備えた上述した第３の実施の形態の構成において、第２の実施の形態と同様に、時刻に応じて光窓式照明装置１０６を制御し、それら時刻における窓面の庇影部分と直達日射部分との比率に合わせて暗領域Ａと明領域Ｂとの比率を調整する構成とすることも可能である。
【００５０】
［第４の実施の形態］
次に、第４の実施の形態に係る擬似窓３０１について説明する。図１１は擬似窓３０１を表す模式図である。なお、上述した第１の実施の形態と同様の構成については同一の符号を付してその説明を省略する。
【００５１】
図１１に示すように、擬似窓３０１に備えられた光窓照明制御装置３０８は、輝度検知装置７から送られた平均輝度値を基に輝度調整用の出力値を演算して出力し、且つ、時刻に応じた色温度調整用の出力値を出力する装置である。光窓照明制御装置３０８から出力される色温度調整用の出力値は、基本的に、太陽高度が低い朝方（日の出）および夕方（日の入り）の時間帯が低くなり、太陽高度が高い昼間の時間帯が高くなる。光窓照明制御装置３０８から出力された輝度調整用の出力値および色温度調整用の出力値は、光窓式照明装置３０６にそれぞれ入力される。
【００５２】
光窓式照明装置３０６は、光源の明るさ及び色温度をそれぞれ調整することが可能な調光−色温度可変式の照明装置である。光窓式照明装置３０６の光源の明るさは、第１の実施の形態の光窓式照明装置６と同様に、光窓照明制御装置３０８から送られた輝度調節用の出力値を受けて調整される。また、光窓式照明装置３０６の光源の色温度は、時刻に応じて調整される。光源の色温度調整は、例えば色温度変換フィルターを用いて行うことが可能であり、複数の段階に可変される段階式の色温度調整であってもよく、或いは、連続的に可変される無段階式の色温度調整であってもよい。
【００５３】
ここで、光窓式照明装置３０６の光源の色温度の調整について詳しく説明する。
図１２は時系列の色温度制御模式図であり、時刻に対する光源の色温度を表したグラフである。
図１２に示すように、光窓式照明装置３０６の光源の色温度は、時刻に応じて可変され、時刻における日差しの色温度に合わせて調整される。具体的に説明すると、日の出時刻（Ｔｒ）では、光源の色温度を日の出日の入り時の日射色温度（Ｋ１）とする。日の出時刻（Ｔｒ）から太陽高度がある一定のところまで達するまでの時間を変化時間（ｃ）とすると、日の出（Ｔｒ）から太陽高度がある一定のところまで達する時刻（Ｔｒ＋ｃ）までは光源の色温度を徐々に高くしていき、太陽高度がある一定のところまで達する時刻（Ｔｒ＋ｃ）では光源の色温度を日中の最大色温度（Ｋ２）にする。その後、太陽高度がある一定以上の時間帯においては、光源の色温度を最大色温度（Ｋ２）で一定にする。最大色温度（Ｋ２）は、例えば６０００Ｋ程度である。そして、太陽高度がある一定以下に下がり始める時刻（Ｔｓ−ｃ）から日の入り時刻（Ｔｓ）までは徐々に色温度（Ｋ）を低くしていき、日の入り時刻（Ｔｓ）では光源の色温度を日の出日の入り時の日射色温度（Ｋ１）とする。
【００５４】
日の出時刻（Ｔｒ）から太陽高度がある一定のところまで達する時刻（Ｔｒ＋ｃ）までの間の光源の色温度Ｙは、次式で表される。
【００５５】
【数２】
2008223347.tif 000004
【００５６】
また、太陽高度がある一定のところまで達した時刻（Ｔｒ＋ｃ）から太陽高度がある一定以下に下がり始める時刻（Ｔｓ−ｃ）までの間の光源の色温度Ｙは、次式で表される。
【００５７】
【数３】
2008223347.tif 000005
【００５８】
また、太陽高度がある一定以下に下がり始めた時刻（Ｔｓ−ｃ）から日の入り時刻（Ｔｓ）までの間の光源の色温度Ｙは、次式で表される。
【００５９】
【数４】
2008223347.tif 000006
【００６０】
なお、上記した図１２に示す色温度制御の例では、太陽高度がある一定以下に下がり始めた時刻から日の入り時刻（Ｔｓ）までの時間（以下、変化時間と記す。）を、日の出時刻（Ｔｒ）から太陽高度がある一定のところまで達するまでの時間と同じ変化時間（ｃ）としているが、両者の変化時間が異なっていてもよい。
また、上記した図１２に示す色温度制御の例では、日の出日の入り時の日射色温度（Ｋ１）が同じ色温度になっているが、日の出時の日射色温度と日の入り時の日射色温度が異なっていてもよい。
【００６１】
上記した図１２に示す光源の色温度制御は一例であり、他の色温度制御であってもよい。
例えば、図１３に示すように、光源の色温度を一定にする時間帯がなくてもよい。
図１３に示す色温度制御では、日の出時刻（Ｔｒ）から太陽高度が最も高くなる時刻（（Ｔｒ＋Ｔｓ）／２）までの間の光源の色温度Ｙは、次式で表される。
【００６２】
【数５】
2008223347.tif 000007
【００６３】
また、太陽高度が最も高くなる時刻（（Ｔｒ＋Ｔｓ）／２）から日の入り時刻（Ｔｓ）までの間の光源の色温度Ｙは、次式で表される。
【００６４】
【数６】
2008223347.tif 000008
【００６５】
また、光源の色温度制御は、直線的に変化させるのではなく、図１４に示すように、曲線的に変化させてもよい。
図１４に示す色温度制御では、光源の色温度Ｙは、次式で表される。
【００６６】
【数７】
2008223347.tif 000009
【００６７】
ただし、上の式のｄ、ｅ、ｆは下記の行列により導かれる。
【００６８】
【数８】
2008223347.tif 000010
【００６９】
上記した構成からなる擬似窓３０１によれば、時刻に応じて光窓式照明装置３０６が制御され、時刻における日差しの色温度に合わせて光窓式照明装置３０６の光源の色温度が調整されるため、一日周期で変動する日差しの色温度が表現され、よりリアリティのある擬似窓３０１にすることができる。これにより、擬似窓３０１としての効果が大きなり、擬似窓３０１が設置された室内空間の快適性を一層向上させることができる。
【００７０】
なお、上記した第４の実施の形態では、第１の実施の形態と同様に、ディスプレイ４へ送る映像信号に含まれる輝度情報からディスプレイ４に映し出された風景映像の輝度を検知する輝度検知装置７が備えられているが、本発明は、第４の実施の形態における輝度検知装置７に代えて、第３の実施の形態に記載された輝度検知装置２０７を用いてもよい。すなわち、上述した第４の実施の形態の構成において、第３の実施の形態と同様に、輝度センサ２１７を用いてディスプレイ４に映し出された風景映像の輝度を検知することも可能である。
【００７１】
また、本発明は、上記した第４の実施の形態で説明した構成に、第２の実施の形態で説明したような構成を付加してもよい。すなわち、時刻に応じて光窓式照明装置３０６の光源の色温度を調整するとともに、時刻に応じて光窓式照明装置３０６の発光面３０６ａにおける暗領域Ａと明領域Ｂとの比率を調整する構成とすることも可能である。
【００７２】
また、上記した第４の実施の形態では、時刻に応じて光窓式照明装置３０６が制御され、時刻における日差しの色温度に合わせて光窓式照明装置３０６の光源の色温度が調整されているが、時刻だけでなく、対象地の緯度経度及び日付の両方または何れか一方に応じて光窓式照明装置３０６を制御し、対象地の緯度経度、日付及び時刻における日差しの色温度に合わせて光窓式照明装置３０６の光源の色温度を調整してもよい。例えば、日の出時刻（Ｔｒ）および日の入り時刻（Ｔｓ）は、一年周期で変動するため、日付情報からこれらを呼び出して設定してもよい。また、日の出時刻（Ｔｒ）および日の入り時刻（Ｔｓ）は、対象地の場所によっても変動するため、対象地の緯度と経度によってこれらを補正してもよい。これにより、光窓式照明装置３０６の光源の色温度を、実際の日差しの色温度にさらに近似させることができ、より一層リアリティのある擬似窓３０１を実現することができる。
【００７３】
以上、本発明に係る擬似窓の実施の形態について説明したが、本発明は上記した実施の形態に限定されるものではなく、その趣旨を逸脱しない範囲で適宜変更可能である。
例えば、上記した第１〜第４の実施の形態では、光窓式照明装置６、１０６、３０６がディスプレイ４の側方に配設され、ディスプレイ４と光窓式照明装置６、１０６、３０６とによって横連窓のような見た目になっているが、本発明は、光窓式照明装置６、１０６、３０６がディスプレイ４の上下方の両方又は何れか一方に配設されていてもよい。これにより、光窓式照明装置６、１０６、３０６とディスプレイ４とによって縦連窓のような見た目になる。また、ディスプレイ４の側方に窓式照明装置６、１０６、３０６が配設されているとともに、ディスプレイ４の上下方の両方または何れか一方に光窓式照明装置６、１０６、３０６が配設されていてもよい。
【００７４】
また、上記した第１〜第４の実施の形態では、光窓式照明装置６、１０６、３０６がディスプレイ４の両側にそれぞれ配設されているが、ディスプレイ４と光窓式照明装置６、１０６、３０６との配置は適宜変更可能である。例えば、ディスプレイ４の何れか一方側にのみ光窓式照明装置６、１０６、３０６が配設されていてもよく、或いは、ディスプレイ４と光窓式照明装置６、１０６、３０６とを交互に配設した構成であってもよい。
【００７５】
また、本発明は、光窓式照明装置６、１０６、３０６の室内側にカーテンやブラインドを設置することも可能である。これにより、擬似窓１、１０１、２０１、３０１が更に窓らしく見え、擬似窓１、１０１、２０１、３０１としての効果がより一層向上させることができる。
また、本発明は、窓枠９に透明又は半透明のガラス板を嵌め込み、ディスプレイ４の手前（室内側）にガラス板を対向配置させることも可能である。これにより、擬似窓１、１０１、２０１、３０１が更に窓らしく見え、擬似窓１、１０１、２０１、３０１としての効果がより一層向上させることができる。
また、光窓式照明装置６、１０６、３０６の発光面６ａ、１０６ａ、３０６ａの外周縁に沿って、ディスプレイ４の窓枠９と同様に窓枠を設置することも可能である。これにより、光窓式照明装置６、１０６、３０６が更に窓らしく見え、擬似窓１、１０１、２０１、３０１としての効果がより一層向上させることができる。
【００７６】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００７７】
【図１】本発明に係る第１の実施の形態を説明するための擬似窓を表す斜視図である。
【図２】本発明に係る第１の実施の形態を説明するための擬似窓の構成を表す模式図である。
【図３】本発明に係る第１の実施の形態を説明するための時刻に対する風景映像の輝度の変化を表したグラフである。
【図４】本発明に係る第１の実施の形態を説明するための光窓式照明装置の構成を表す断面図である。
【図５】本発明に係る第２の実施の形態を説明するための擬似窓の構成を表す模式図である。
【図６】本発明に係る第２の実施の形態を説明するための光窓式照明装置の構成を表す断面図である。
【図７】本発明に係る第２の実施の形態を説明するための時刻に対する直達日射が当たる部分の高さを表したグラフである。
【図８】本発明に係る第２の実施の形態を説明するための擬似窓の構成を表す模式図である。
【図９】本発明に係る第３の実施の形態を説明するための擬似窓の構成を表す模式図である。
【図１０】本発明に係る他の実施の形態を説明するための擬似窓の構成を表す模式図である。
【図１１】本発明に係る第４の実施の形態を説明するための擬似窓の構成を表す模式図である。
【図１２】本発明に係る第４の実施の形態を説明するための時刻に対する光源の色温度制御の一例を表したグラフである。
【図１３】本発明に係る第４の実施の形態を説明するための時刻に対する光源の色温度制御の他の例を表したグラフである。
【図１４】本発明に係る第４の実施の形態を説明するための時刻に対する光源の色温度制御の他の例を表したグラフである。
【符号の説明】
【００７８】
１、１０１、２０１、３０１  擬似窓
２  壁部
４  ディスプレイ（映像表示装置）
４ａ  画面（表示部）
６、１０６、３０６  光窓式照明装置
６ａ、１０６ａ、３０６ａ  発光面
７、２０７  輝度検知装置（輝度検知手段）
８  光窓照明制御装置（輝度調整手段）
１０８  光窓照明制御装置（輝度調整手段、明暗比率調整手段）
２０４  輝度検知用のディスプレイ（輝度検知用表示装置）
２０４ａ  画面（表示部）
２１７  輝度センサ
３０８  照明制御装置（輝度調整手段、色温度調整手段）
【図１】
2008223347.tif 000011
【図２】
2008223347.tif 000012
【図３】
2008223347.tif 000013
【図４】
2008223347.tif 000014
【図５】
2008223347.tif 000015
【図６】
2008223347.tif 000016
【図７】
2008223347.tif 000017
【図８】
2008223347.tif 000018
【図９】
2008223347.tif 000019
【図１０】
2008223347.tif 000020
【図１１】
2008223347.tif 000021
【図１２】
2008223347.tif 000022
【図１３】
2008223347.tif 000023
【図１４】
2008223347.tif 000024